(57)【要約】【課題】紙の書類に大量情報を埋め込むため、情報記録容量を最大化し、また、紙の書類の画質の劣化を最小化するドットパターン及び地紋を構成する方法を発見する。【解決手段】情報埋め込み装置が、付加情報データを入力しＳ1、スクリーンの特性を併せ持つパターン認識可能な幾何学的または物理学的なスクリーンコードを変換するＳ3、書類のデータを入力しＳ2、イメージデータを変換するＳ4、次はスクリーンコードをマトリクスで配置し、情報を埋め込みＳ5、構成された新しい書類の印刷画像を出力し、情報埋め込んだ自動読取印刷物を作成するＳ6、情報認識装置が、イメージセンサーで自動読取印刷物を読取しＳ'1、スクリーンコードに対して、各ドットの位置を検出しＳ'2、マルチビット値を認識するＳ'3、認識結果を記録媒体に登録するＳ'4、その有効性は、大量な情報の埋め込みが可能になるし、紙の書類にとって違和感ないという特徴がある。【選択図】  図１７
2009017554.tif 000002
【特許請求の範囲】
【請求項１】
入力部と埋め込み部と出力部を揃えた情報埋め込み装置と、画像入力部と認識部と登録部を備えた情報認識装置と、付加情報を埋め込んだ印刷画像を印刷している自動読取印刷物と、からなる自動読取システムであって、
情報埋め込み装置の入力部は、埋め込み対象となる付加情報データを入力し、埋め込み媒体となる印刷の画像を取得する手段を有し、
情報埋め込み装置の埋め込み部は、前記入力した埋め込み対象となる付加情報データをスクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換する手段と、
スクリーンコード配列の構成を、グループに属するドットパターンの方向情報、グループに属するドットパターン列の長さ情報、グループの順番情報、グループの位置情報、グループの形式情報、誤り訂正情報、形式の異なるドットパターン、大きさの異なるドットパターンの内、少なくとも、一種類を備える情報グループとして、印刷画像にマトリクスで配置していくことによって新しい印刷画像を構成する手段とを有し、
情報埋め込み装置の出力部は、前記新しい印刷画像を出力し、
自動読取印刷物は、前記埋め込み装置から出力された新しい印刷画像が印刷され、
情報認識装置の画像入力部は、イメージセンサーから、自動読取印刷物をイメージデータとして読取し、
情報認識装置の認識部は、スクリーンコードの位置を検出し、スクリーンコードのコード値を認識する手段を有し、
情報認識装置の登録部は、スクリーンコードを認識した結果を、メモリ、ハードディスク、ＣＤ−ＲＯＭ、ネットワークサーバーの内、少なくとも一種類記録媒体に登録し処理する手段を備えることを特徴とする自動読取システム。
【請求項２】
前記スクリーンコードのドットパターンが構成されたドットに対して、少なくとも、一つのドットを二個以上のドットに分割することによって新しいドットパターンを構成することができる手段を備えることを特徴とする請求項１に記載の自動読取システム。
【請求項３】
スクリーンの特性を併せ持つパターン認識可能な幾何学的な埋め込みコードとしたスクリーンコードのドットパターンが構成されたドットに対し、異なる位置によって配置する手段、異なる方向によって配置する手段、異なる形状によって配置する手段、異なる大きさによって配置する手段、集中と分散によって配置する手段の内、少なくとも一つの手段によりなされることを特徴とする請求項１に記載の自動読取システム。
【請求項４】
スクリーンの特性を併せ持つパターン認識可能な物理学的な埋め込みコードとしたスクリーンコードのドットパターンが構成されたドットに対し、異なる変調方式によって配置する手段、異なる周波数成分によって配置する手段、異なる階調値によって配置する手段、位相変調方式によって配置する手段、異なる搬送方向によって配置する手段、異なる力学特性によって配置する手段の内、少なくとも一つの手段によりなされることを特徴とする請求項１に記載の自動読取システム。
【請求項５】
前記スクリーンコードの位置検出は、確率尺度に基づいた自己組織を行う手法によりなされることを特徴とする請求項１に記載の自動読取システム。
【請求項６】
入力部と埋め込み部と出力部を揃えた情報埋め込み装置であって、
情報埋め込み装置の入力部は、埋め込み対象となる付加情報データを入力し、埋め込み媒体となる印刷の画像を取得するモジュールを有し、
情報埋め込み装置の埋め込み部は、前記入力した埋め込み対象となる付加情報データをスクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換するモジュールと、
スクリーンコード配列の構成を、グループに属するドットパターンの方向情報、グループに属するドットパターン列の長さ情報、グループの順番情報、グループの位置情報、グループの形式情報、誤り訂正情報、形式の異なるドットパターン、大きさの異なるドットパターンの内、少なくとも、一種類を備える情報グループとして、印刷画像にマトリクスで配置していくことによって新しい印刷画像を構成するモジュールとを有し、
情報埋め込み装置の出力部は、前記新しい印刷画像を出力することを特徴とする情報埋め込み装置。
【請求項７】
画像入力部と認識部と登録部を備えた情報認識装置であって、
情報認識装置の画像入力部は、イメージセンサーから、自動読取印刷物をイメージデータとして読取するモジュールを有し、
情報認識装置の認識部は、スクリーンコードの位置を検出し、スクリーンコードのコード値を認識するモジュールを有し、
情報認識装置の登録部は、スクリーンコードを認識した結果を、メモリ、ハードディスク、ＣＤ−ＲＯＭ、ネットワークのサーバーの内、少なくとも一種類記録媒体に登録し処理するモジュールを備えることを特徴とする情報認識装置。
【請求項８】
自動読取を可能とする自動読取印刷物であって、
自動読取印刷物は、埋め込み対象となる付加情報データをスクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換し、
スクリーンコード配列の構成を、グループに属するドットパターンの方向情報、グループに属するドットパターン列の長さ情報、グループの順番情報、グループの位置情報、グループの形式情報、誤り訂正情報、異なる形式となるドットパターン、異なる大きさとなるドットパターンの内、少なくとも、一種類を備える情報グループによって、印刷の画像にマトリクスで配置していくことによって新しい印刷画像を構成し印刷されることを特徴とする自動読取印刷物。
【請求項９】
前記請求１または６に記載している情報埋め込み装置に対し、埋め込み対象となる付加情報のデータを入力し、埋め込み媒体となる印刷の画像を取得する入力部処理方法を有し、
入力した埋め込み対象となる付加情報のデータをスクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換する方法と、
スクリーンコード配列の構成を、グループに属するドットパターンの方向情報、グループに属するドットパターン列の長さ情報、グループの順番情報、グループの位置情報、グループの形式情報、誤り訂正情報、形式の異なるドットパターン、大きさの異なるドットパターンの内、少なくとも、一種類を備える情報グループとして、印刷画像にマトリクスで配置していくことによって新しい印刷画像を構成する情報埋め込み部の処理方法とを有し、
新しい印刷画像を出力する出力部処理方法とを、コンピュータで実行させることを特徴とする情報埋め込みプログラム。
【請求項１０】
前記請求１または７に記載している情報認識装置に対し、イメージセンサーから、自動読取印刷物を、イメージデータとして読取する入力部処理方法を有し、
スクリーンコードの位置を検出し、スクリーンコードのコード値を認識する認識部の処理方法を有し、
スクリーンコードを認識した結果を、メモリ、ハードディスク、ＣＤ−ＲＯＭ、ネットワークサーバーの内、少なくても一種類記録媒体に登録し処理する登録部処理方法とを、コンピュータで実行させることを特徴とする情報認識プログラム。
【発明の詳細な説明】
【技術分野】
【０００１】
本発明は、複合機向け自動読取システム、情報埋め込み装置、情報埋め込みプログラム、情報認識装置、情報認識プログラムおよび自動読取印刷物に関するものである。
【背景技術】
【０００２】
近年、紙文書の保存・運用・管理のコストを減らすため、国政策の推進により、紙文書から電子化への移行が急速に進んでいる。しかし、紙文書から電子化への処理をするために、紙文書をスキャナーで、イメージデータとして登録する一般的な手法はある。イメージデータの編集やデータベースへの登録ができない問題が残っている。
【０００３】
一方、読取技術の代表的な手法では、「文字読取装置」（特許文献１参照）と「読取装置及び読取方法」（特許文献２参照）という出願が多数発表された。これらの出願は文字認識ＯＣＲ技術を用いて、紙文書や紙伝票などの自動読取の方法が提案され、ＯＣＲ技術は文字パターンを認識し、文字コードを変換することができるが、ドキュメントの組み版情報や、伝票のデータベースフォーマットなど情報を得ないため、人間の介入する必要があるので、完全に自動化することは困難である。
【０００４】
印刷データを付加情報として地紋の形で埋め込み、印刷データと同時に印刷することができれば、大量情報を埋め込んでいるデジタル印刷物を記録媒体として、何時でもコンピュータに登録することができる、紙文書と情報とが一体化され、複数な入力が要らないメリットはあるし、紙文書にとって人間の介入は不要、完全に自動読み取ることが可能と考える。
【０００５】
地紋により情報を埋め込む手法について「出力装置、読取装置、情報処理システム、出力プログラム、情報処理プログラム、出力プログラムを記録したコンピュータ読取可能な記録媒体」（特許文献３参照）という出願があった。この手法では、五つのドットの配置パターンを用いて、情報“１”または“０”しか記述できない、情報記録の効率はよくない問題がある。
【０００６】
また、「情報処理装置、情報処理方法及び情報処理プログラム」（特許文献４参照）も出願された。上述の手法を改良して、紙文書の白地領域に対して、二つの黒丸で示されるドットの異なる配置の方向によって、ビット“１”またはビット“０”を表わすこと、また、文字領域には各領域内の黒い画素の個数が、奇数の場合にビット“０”を、偶数の場合にビット“１”を表わすことができるが、この手法では、白地領域に情報を埋め込む場合に、白地領域の広さに応じてドットパターンの列の長さの変更について考慮していない。また、文字領域の埋め込みの方法について、文字劣化や埋め込みの効率の悪いなど問題を残っている。
【０００７】
さらに、「情報埋込装置、情報埋込方法、情報埋込プログラム及び記録媒体」（特許文献５参照）も出願されたが、上述の手法の続き、同じ二つのドットの配置パターンを用いて、情報“１”または“０”を記述できることになっているが、地紋を構成された小さいドットパターンの位置を特定する方法と、ドットパターンの認識方法について言われていない。
【０００８】
上述の問題を改善するために、「情報抽出方法及び情報抽出装置及び情報抽出プログラム及び記憶媒体」（特許文献６参照）も出願された。ドットパターンで情報が埋め込まれる矩形領域の四辺に相当する回帰線を求め、また、各回帰線を矩形領域の内部に向かってドットパターンサイズ分だけ平行移動していくことで、内部のドットパターンの回帰線を求め、さらに、縦横の回帰線の交点からドットパターンの位置を決める手法を発表したが、ドットパターンの密度が高くなった場合に、画像のひずみや紙伸びなど原因によって、各々縦横のドットパターン列を十分に分割できない場合が生じるので、この場合に回帰線の算出によりドットパターンの位置を正確に決めることは難しい。
【０００９】
また、「情報埋込装置、情報埋込方法、情報埋込プログラム、情報抽出装置、情報抽出方法、情報抽出プログラム及び記録媒体」（特許文献７参照）も出願された。この出願では、同じ二つのドットのたてまたは横並びで、二種類配置パターンによって、情報“１”または情報“０”を表わすことを考えているが、地紋に関する重要な性能に対したドットのサイズについて曖昧である。ここで、言われた微小ドットが画像形成装置の画像再現能力の限度より小さいドットと定義された。このような微小ドットは画像再現不可能になる可能性があるので、実用性の問題が生じる。また、集合ブロックとして、情報を記述する場合に印刷媒体の回転に対した処理方法が言われていない。さらに、回帰直線からドットパターンの位置を決定し、ドットパターンの識別し、情報抽出を行う結果は印刷データと重ねた時に大きなノイズを発生する問題を十分に対応できることと言いにくい。また、この手法はコピー耐性を考慮する時に、第一パターン群と第一パターンより拡大されたドットサイズを用いて第二パターンを定義したが、第二パターン群に対して、ドットのサイズしか考慮しなかったので、違い形式のドットパターンの対応について言われていない。
【００１０】
最近公開した「情報処理装置、及びその制御方法、画像処理システム、コンピュータプログラム、記憶媒体」（特許文献８参照）という出願もあった。この出願は複数の周波数成分によって、情報を記述することを発表したが、全く同じ一つの大きなドットと加算して同様な階調になる四つの小さいドットの二種類ドットパターンによって情報を記述する手法は既に公知技術（特許文献９参照）になったので、この手法の新規性の問題がある。また、紙の書類の空き領域に対して、情報を埋め込む場合に、領域の広さに応じて、ドットパターン列の長さが変わる方法や、情報グループの構成について論じていない。
【００１１】
また、「地紋パターン付原稿の作成装置、地紋パターン付原稿、画像処理装置及び画像処理方法」（特許文献１０参照）という出願が公開された。この出願は、階調の異なる複数の情報埋め込み用マークが形成されることにより、情報を埋め込むことができるが、上述の出願（特許文献８参照）と同様に一つの大きなドットと加算して同様な階調になる四つの小さいドットの二種類のドットパターンによって情報を記述する手法は既に公知技術（特許文献９参照）になったので、この手法の新規性の問題もある。また、紙の書類の空き領域に対して、情報を埋め込む場合に、領域の広さによって、ドットパターン列の変わる方法や、情報グループの構成について論じていない。さらに、情報埋め込み用マークの周りに配置している沢山の関係ないドットに対して、情報記述の効率は悪く、また、階調の異なる複数な地紋パターンによる情報の埋め込みの方法について極力に均一な諧調の地紋の構成を追求する常識と離れている。
【００１２】
上述と全く違い手法として、「画像形成方法、情報埋め込み方法、情報埋め込み装置、情報復号方法及び、情報復号装置」（特許文献１１参照）と「検証情報埋め込み装置、検証情報埋め込みプログラム、改ざん検証用文書作成装置、改ざん検証用文書作成プログラム、改ざん検証装置および改ざん検証プログラム」（特許文献１２参照）という出願が公開された。これらの手法では、非可視光領域で光吸収性を有しない色材を用いて、濃度変換が施されるドットパターンや方向の異なる小さい線分により情報を埋め込むことを提案されたが、特殊なインキまたは特殊なトナーの必要があるので、普通複合機への応用がしにくい。
【００１３】
上述のすべての出願では、情報を埋め込む地紋を構成されたドットパターンについて、スクリーンの網点の階調特性、スクリーンの網点のサイズ特性やスクリーンの網点の間隔特性などを含んだ印刷スクリーンの特性を十分に考慮することが言われていない。また、埋め込み情報の密度の最大化と地紋の埋め込みドットの密度（階調値）の最小化など重要な問題に触れていない。
【００１４】
【特許文献１】特開平６−３３３０８６号公報
【特許文献２】特開２００１−１４４２２号公報
【特許文献３】特開２００６−２３７７４２号公報
【特許文献４】特開２００６−２２２５７２号公報
【特許文献５】特開２００７−２５８９８３号公報
【特許文献６】特開２００６−２３８１１９号公報
【特許文献７】特開２００７−２８２２００号公報
【特許文献８】特開２００７−２２８４１８号公報
【特許文献９】特許第４０５４３３９号公報
【特許文献１０】特開２００８−２８７８１号公報
【特許文献１１】特開２００７−６１３４号公報
【特許文献１２】特開２００７−２８１５３９号公報
【発明の開示】
【発明が解決しようとする課題】
【００１５】
本発明が解決しようとする課題は、紙上に大量情報を埋め込むため、情報埋め込み容量を最大化し、また、紙の書類の画質の劣化を最小化するドットパターン及び地紋を構成する方法を発見することである。
【課題を解決するための手段】
【００１６】
前記課題を解決するために、請求項１に係る発明は、入力部と埋め込み部と出力部を揃えた情報埋め込み装置と、画像入力部と認識部と登録部を備えた情報認識装置と、付加情報を埋め込んだ印刷画像を印刷している自動読取印刷物と、からなる自動読取システムであって、
情報埋め込み装置の入力部は、埋め込み対象となる付加情報データを入力し、埋め込み媒体となる印刷の画像を取得する手段を有し、
情報埋め込み装置の埋め込み部は、前記入力した埋め込み対象となる付加情報データをスクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換する手段と、
スクリーンコード配列の構成を、グループに属するドットパターンの方向情報、グループに属するドットパターン列の長さ情報、グループの順番情報、グループの位置情報、グループの形式情報、誤り訂正情報、形式の異なるドットパターン、大きさの異なるドットパターンの内、少なくとも、一種類を備える情報グループとして、印刷画像にマトリクスで配置していくことによって新しい印刷画像を構成する手段とを有し、
情報埋め込み装置の出力部は、前記新しい印刷画像を出力し、
自動読取印刷物は、前記埋め込み装置から出力された新しい印刷画像を印刷され、
情報認識装置の画像入力部は、イメージセンサーから、自動読取印刷物をイメージデータとして読取し、
情報認識装置の認識部は、スクリーンコードの位置を検出し、スクリーンコードのコード値を認識する手段を有し、
情報認識装置の登録部は、スクリーンコードを認識した結果を、メモリ、ハードディスク、ＣＤ−ＲＯＭ、ネットワークサーバーの内、少なくとも一種類記録媒体に登録し処理する手段を備えることを特徴とする自動読取システムである。
【００１７】
請求項２に係る発明として、前記スクリーンコードのドットパターンが構成されたドットに対して、少なくとも、一つのドットを二個以上のドットに分割することによって新しいドットパターンを構成することができる手段を備えることを特徴とする。
【００１８】
このような構成とすることで、例の６００ｄｐｉのような低い解像度のプリンタを用いて、スクリーンコードのドットパターンを印刷する場合に、一つのドットに対して、サンプリング理論によって二つ以上の印刷最小単位のドットの構成をする必要があるので、情報ドットの大きさは小さければ小さい方がいいスクリーンの網点のサイズ特性とスクリーンの網点の階調特性に基づいて、ドットパターンに属するドットを複数なドットを分割する方法を用いて、印刷最小単位のドットレベルの最小階調値の地紋を構成することができる。また、ドットの分割した結果は複数の印刷最小単位のドットを分散して印刷したものに対して、サンプリング理論を崩さないので、埋め込んだ情報を正確に認識することができる特徴がある。
【００１９】
請求項３に係る発明として、スクリーンの特性を併せ持つパターン認識可能な幾何学的な埋め込みコードとしたスクリーンコードのドットパターンを構成するドットに対し、異なる位置によって配置する手段、異なる方向によって配置する手段、異なる形状によって配置する手段、異なる大きさによって配置する手段、集中と分散によって配置する手段の内、少なくとも一つの手段により、なされることを特徴とする。
【００２０】
このような構成とすることで、全体的な幾何学的なドットパターンに対して、スクリーンの特性を併せ持つパターン認識可能な幾何学的な埋め込みコードとしたスクリーンコードのドットパターンを構成し、スクリーンの特性を幾何学的なドットパターンの特性と統合して、情報埋め込みコードとして埋め込んだ結果は、印刷の画質にとって違和感が生じない。
【００２１】
請求項４に係る発明として、スクリーンの特性を併せ持つパターン認識可能な物理学的な埋め込みコードとしたスクリーンコードのドットパターンを構成するドットに対し、異なる変調方式によって配置する手段、異なる周波数成分によって配置する手段、異なる諧調値によって配置する手段、位相変調方式によって配置する手段、異なる搬送方向によって配置する手段、異なる力学特性によって配置する手段の内、少なくとも一つの手段により、なされることを特徴とする。
【００２２】
このような構成とすることで、幾何学的なドットパターンと同様に、全体的な物理学的ドットパターンに対して、スクリーンの特徴を併せ持つことを可能とする物理学的ドットパターンを構成し、スクリーンの特性を物理学的ドットパターンの特性と統合して、情報埋め込みコードとして埋め込んだ結果は、印刷の画質にとって違和感を生じない特徴を持っている。
【００２３】
請求項５に係る発明として、前記スクリーンコードの位置検出は、確率尺度に基づいた自己組織を行う手法により、なされることを特徴とする。
【００２４】
このような構成とすることで、スクリーンコード列またはスクリーンコード行に対して、その配置範囲を指定すれば、スクリーンコードの各ドットは回帰線との距離の配置確率尺度に基づいて、自己組織した結果はスクリーンコードの各ドットの位置を検出することが可能である。
【００２５】
請求項６に係る発明として、入力部と埋め込み部と出力部を揃えた情報埋め込み装置であって、
情報埋め込み装置の入力部は、埋め込み対象となる付加情報データを入力し、埋め込み媒体となる印刷の画像を取得するモジュールを有し、
情報埋め込み装置の埋め込み部は、前記入力した埋め込み対象となる付加情報データをスクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換するモジュールと、
スクリーンコード配列の構成を、グループに属するドットパターンの方向情報、グループに属するドットパターン列の長さ情報、グループの順番情報、グループの位置情報、グループの形式情報、誤り訂正情報、形式の異なるドットパターン、大きさの異なるドットパターンの内、少なくとも、一種類を備える情報グループとして、印刷画像にマトリクスで配置していくことによって新しい印刷画像を構成するモジュールとを有し、
情報埋め込み装置の出力部は、前記新しい印刷画像を出力することを特徴とする情報埋め込み装置である。
【００２６】
請求項７に係る発明として、画像入力部と認識部と登録部を備えた情報認識装置であって、
情報認識装置の画像入力部は、イメージセンサーから、自動読取印刷物をイメージデータとして読取するモジュール有し、
情報認識装置の認識部は、スクリーンコードの位置を検出し、スクリーンコードのコード値を認識するモジュールを有し、
情報認識装置の登録部は、スクリーンコードを認識した結果を、メモリ、ハードディスク、ＣＤ−ＲＯＭ、ネットワークのサーバーの内、少なくとも一種類記録媒体に登録し処理するモジュールを備えることを特徴とする情報認識装置である。
【００２７】
請求項８に係る発明として、自動読取を可能とする自動読取印刷物であって、
自動読取印刷物は、埋め込み対象となる付加情報データをスクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換し、
スクリーンコード配列の構成を、グループに属するドットパターンの方向情報、グループに属するドットパターン列の長さ情報、グループの順番情報、グループの位置情報、グループの形式情報、誤り訂正情報、異なる形式となるドットパターン、異なる大きさとなるドットパターンの内、少なくとも、一種類を備える情報グループによって、印刷の画像にマトリクスで配置していることによって新しい印刷画像を構成し印刷されることを特徴とする自動読取印刷物。
【００２８】
請求項９に係る発明として、前記請求１または６に記載している情報埋め込み装置に対し、埋め込み対象となる付加情報のデータを入力し、埋め込み媒体となる印刷の画像を取得する入力部処理方法を有し、
入力した埋め込み対象となる付加情報のデータをスクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換する方法と、
スクリーンコード配列の構成を、グループに属するドットパターンの方向情報、グループに属するドットパターン列の長さ情報、グループの順番情報、グループの位置情報、グループの形式情報、誤り訂正情報、形式の異なるドットパターン、大きさの異なるドットパターンの内、少なくとも、一種類を備える情報グループとして、印刷画像にマトリクスで配置していくことによって新しい印刷画像を構成する情報埋め込み部の処理方法とを有し、
新しい印刷画像を出力する出力部処理方法とを、コンピュータで実行させることを特徴とする情報埋め込みプログラムである。
【００２９】
請求項１０に係る発明として、前記請求１または７に記載している情報認識装置に対し、イメージセンサーから、自動読取印刷物を、イメージデータとして読取する入力部処理方法を有し、
スクリーンコードの位置を検出し、スクリーンコードのコード値を認識する認識部の処理方法を有し、
スクリーンコードを認識した結果を、メモリ、ハードディスク、ＣＤ−ＲＯＭ、ネットワークサーバーの内、少なくても一種類記録媒体に登録し処理する登録部処理方法とを、コンピュータで実行させることを特徴とする情報認識プログラムである。
【００３０】
ここで本発明の中で使われている言葉を以下のように定義する。
画素を、画像構成する最小単位とし、網点を、画像構成する最小単位即ち画素に対応するスクリーンの最小単位とし、網点ドットを、網点構成するドットの最小単位とし、網点ドットが構成された印刷ドットを、印刷設備の印刷精度(dpi)に関する印刷できる最小ドット(1インチ/dpi)とする。
【００３１】
最小セルを、情報を表わす網点により占めされる必要な最小領域とし、マイクロセルを、印刷ドットの大きさと該当した領域とする。
【００３２】
幾何学的な情報埋め込みコードとは、スクリーンコードが構成されたドットパターンの各ドットに対し、異なる位置によって配置、異なる方向によって配置、異なる形状によって配置、異なる大きさによって配置、集中と分散によって配置などを総称した幾何学的なドットパターンということである。
【００３３】
物理学的な情報埋め込みコードとは、スクリーンコードが構成されたドットパターンの各ドットに対して、異なる変調方式によって配置、異なる周波数成分によって配置、異なる諧調値によって配置、位相変調方式によって配置、異なる搬送方向によって配置、異なる力学特性によって配置などを総称した物理学的なドットパターンということである。
【００３４】
スクリーンの網点の階調特性とは、スクリーンの網点の階調の均一化特性、即ちスクリーン網点ドット総面積数は同様に構成されること、または、スクリーンの網点の階調の最小化特性、即ち紙面に一定印刷面積に対して、埋め込み情報量と階調値との比率の最大化である。
【００３５】
スクリーンの網点のサイズ特性とは、網点のサイズ（網点ドットの数）を最小化とする特性である。
ここで、網点のサイズ（網点ドットの数）を四つのドット以下とする。
【００３６】
スクリーンの網点の間隔特性とは、スクリーンの網点の一定間隔の距離によって配置することである。
【００３７】
埋め込み情報の密度とは、一定面積に対して情報を埋め込むビット数である。
【００３８】
埋め込みドットの密度（階調値）とは、一定面積に対して、情報を埋め込む網点ドットの総面積数である。
【００３９】
埋め込み情報密度の比率とは、１印刷ドット（マイクロセル）に対して、情報を埋め込むことができるビット数である。即ち埋め込み情報密度／埋め込みドットの密度（階調値）の算出結果である。スクリーンの特性によってこの値は大きければ大きいほどいい。
ここで、埋め込み情報密度の比率を０．５以上とする。
【００４０】
網点のサイズの人間視覚特性とは、レイリー基準に基づいて計算された結果により、直径０．１ｍｍ以下の網点のドットの大きさやドットの間隔などに対して、非可視な網点構成のサイズとすることである。
【００４１】
配置基準のドットとは、スクリーン網点を構成されているドットの中で、その網点の位置の配置基準情報、方向の配置基準情報、サイズの配置基準情報、位相の配置基準情報または搬送方向の配置基準情報の内、少なくとも一つの幾何学的な配置基準情報または物理学的な配置基準情報を持つ一つ以上の配置基準となったドットを配置基準のドットと呼ぶ。
【００４２】
異なる変調方式とは、印刷スクリーン網点に対し、網点の大きさによってスクリーン網点の階調を表す方式を振幅変調スクリーン即ちＡＭスクリーンとし、網点のドットの数によってスクリーン網点の階調を表す方式を周波数変調スクリーン即ちＦＭスクリーンとする。同じ階調の網点に対し、異なる変調方式によって情報の記述を可能にする方法である。また、異なる変調方式によって構成したドットパターンに対して、異なる周波数成分によって構成したドットパターン、異なるドットの階調値によって構成したドットパターン、異なるドットの大きさによって構成したドットパターンやドットの集中と分散によって構成したドットパターンなどいろいろな解釈する方法はあるが、基本的に同じドットパターンであるので、同様な意味とする。
【発明の効果】
【００４３】
本発明では、スクリーンコードを用いて、紙の書類に大量情報を埋め込むことが可能であるし、紙の書類の背景になっている地紋の階調値は低いので、書類にとって違和感を生じないという特徴がある。
【発明を実施するための最良の形態】
【００４４】
以下、添付図面を参照にしながら、本発明に係る自動読取システム、情報埋め込み装置、情報埋め込みプログラム、情報認識装置、情報認識プログラム及び自動読取印刷物の最適な実施形態について詳細に説明する。
【００４５】
図１は、専用ＩＣチップにより、自動読取機能が付いた複合機のブロック構成例である。図１に示すように、１００は自動読取機能が付いた複合機であり、１０１はスキャナー、１０２はプリンタ、１０３はスクリーンコードを認識するチップ、１０４はスクリーンコードとして、情報を埋め込むチップ、１０５は従来複合機の処理チップ、１０６は複合機とコンピュータとの接続するためのインタフェースである。スキャナー１０１、プリンタ１０２、スクリーンコードを認識するチップ１０３、情報を埋め込むチップ１０４、複合機の処理チップ１０５及びインタフェースチップ１０６は別々にチップとして、複合機に内臓すればいいが、一つのチップとして内臓してもいい。１０７は情報埋め込んだ自動読取印刷物、１０８はコンピュータである。
【００４６】
図１に示すとおり、コンピュータ１０８から、出力した印刷データに、インタフェースチップ１０６を通じて情報埋め込みチップにより、付加情報を埋め込む、その後、プリンタ１０２で出力し、情報埋め込んだ自動読取印刷物１０７を作成する。
情報埋め込んだ自動読取印刷物１０７の画像をスキャナー１０１から入力し、スクリーンコードを認識するチップ１０３により、埋め込んだ情報を認識し、インタフェースチップ１０６を通じて、コンピュータに登録し処理する。
【００４７】
図２−１は、ドライバ方式のソフトにより、自動読取機能が付いた複合機のブロック構成例である。図２−１に示すように、２００はドライバ方式のソフトにより自動読取機能が付いた複合機の構成であり、２０１は複合機のスキャナー、２０２は複合機のプリンタ、２０３は情報埋め込みＳＤＫプログラムと情報認識ＳＤＫプログラムとを含んだプリンタドライバとスキャナードライバであり、２０４はコンピュータである。
【００４８】
図２−１に示すとおり、コンピュータ２０４から、出力した印刷データに、プリンタドライバ２０３の情報埋め込みＳＤＫプログラムによって付加情報を埋め込み、印刷データを一括に印刷し、自動読取可能な紙の書類を作成する。
自動読取可能な紙の書類を複合機のスキャナーにより入力し、画像データを作成し、スキャナーのドライバの情報認識ＳＤＫプログラムによって、認識した付加情報をコンピュータ２０４に登録し処理する。
【００４９】
図２−２は、コンピュータの内臓ソフトによって構成した自動読取システムのブロック構成例である。図２−２に示すように、２０５は汎用複合機、２０６はコンピュータを用いた情報認識装置、２０７はコンピュータを用いて構成した情報埋め込み装置である。
ここで、情報認識装置と情報埋め込み装置に対して、コンピュータ以外の別の専用ＩＣチップの電子回路によって構成することは可能である、若しくはネットサーバーによって構成することも可能である。
【００５０】
図２−２に示すとおり、情報埋め込み装置２０７によって、作成した書類の印刷画像に、スクリーンコードに変換された付加情報を埋め込んでから、インタフェースを通じて、汎用複合機２０５のプリンタによって一括で出力し、付加情報を埋め込んだ書類の印刷物を作成する。
上述に作成した印刷物は、汎用複合機２０５のスキャナーによって、印刷物のイメージ画像を読取し、インタフェースを通じて、情報認識装置のハードディスクに登録し、同時にイメージ画像に埋め込んだスクリーンコードを認識し、その認識結果をハードディスクに登録するか、インタネットを通じて、遠方のところのプリンタで印刷するか若しくはデータベースに登録するか、いろいろな処理を考える。
【００５１】
これから、各ドットパターンの性能を評価するために、標準ドットパターンを次のように定義する。
サンプリング理論によって、ドットパターンのコード値を認識するために、関連するドットパターンのドットのサイズと各ドットパターンのドットの間の最短距離と二つのドットパターンの間の最短距離とをすべて二つの印刷ドット（マイクロセル）の直径値とする。
【００５２】
また、標準ドットパターンに対して、埋め込み情報の密度、埋め込みドットの密度、埋め込み情報密度の比率について標準ドットパターンとして、それぞれ次のように定義する。
埋め込み情報の密度とは、一定面積に対して埋め込むことが可能な情報のビット数である。埋め込み情報の密度の数字値は高ければ高いほどいい。
【００５３】
埋め込みドットの密度とは、一定面積に対して情報を埋め込んだ標準ドットパターンの印刷ドット（マイクロセル）の数である。印刷スクリーンの階調特性に基づいて、埋め込みドットの密度の数字値は低ければ低いほどいい。
【００５４】
埋め込み情報密度の比率とは、一定面積に対して埋め込み情報の密度と埋め込みドットの密度との比率である。印刷スクリーンの階調特性に基づいて、埋め込み情報密度の比率の数字値は高ければ高いほどいい。
【００５５】
図３は、集中網点と分散網点により構成したスクリーンコードの例である。図３のように、すべての印刷ドット（マイクロセル）を集中して、一つのドットとして構成した集中網点（ａ）と、すくなくとも一つの網点のドットを分散して、構成した分散網点（ｂ）とを用いてドットパターンを構成する例である。集中網点（ａ）を情報ビット値“１”とし、分散網点（ｂ）を“０”とする。逆に、集中網点（ａ）を情報ビット値“０”とし、分散網点（ｂ）を“１”としてもいい。
また、標準ドットパターンに構成するために、図３に示すように、集中網点（ａ）のドット３０１の高さ（Ｈ30）を二つの印刷ドット（マイクロセル）の直径値とし、集中網点（ａ）のドット３０１の幅（Ｗ30）を一つの印刷ドット（マイクロセル）の直径値とする。分散網点（ｂ）のドット３０２は、地紋の階調の均一化効果だけを働き、認識しないので、分散網点（ｂ）のドット３０２の高さＨ31と幅（Ｗ31）をすべて一つの印刷ドット（マイクロセル）の直径値とする。
【００５６】
図３に示すとおり、集中網点（ａ）を振幅変調方式即ち（ＡＭ）スクリーンと、分散網点（ｂ）を周波数変調方式即ち（ＦＭ）スクリーンとみなすことができる。即ち変調方式の異なるドットパターンによって情報を記述することができる。
【００５７】
また、集中網点（ａ）は低周波数網点、分散網点（ｂ）は高周波数網点とみなすことができるので、集中網点（ａ）と分散網点（ｂ）は異なる周波数の成分によって情報を記述することと言える。
【００５８】
さらに、集中網点（ａ）のドットの階調値は大きい、分散網点（ｂ）のドット毎の階調値は小さいので、ドットの階調値の異なるドットパターンによって情報を記述することと言える。
言い換えると、集中網点（ａ）のドットの大きさは大きい、分散網点（ｂ）のドット毎の大きさは小さいので、大きさの異なるドットパターンによって情報を記述することと言える。
以上のように言い方はまた、いろいろあるが、基本的にドットパターンの構成は同じであるので、この以外の言い方はあっても、上記のようなドットパターン形と同様になれば、本発明の範囲以内に属せざるを得ない。
【００５９】
図４は、図３のようなドットパターンをマトリクスの配置によって地紋を構成する例である。
図４に示すように、グループ方向情報と位置情報を持っている配列４０１と埋め込む情報のデータの配列４０２によって一つの情報グループを構成する例である。
同様にグループ方向情報と位置情報を持っている配列４０３と埋め込む情報のデータの配列４０４のように複数な情報グループを構成することができる。
【００６０】
グループ方向情報と位置情報を持っている配列４０１または４０３の役割は埋め込む情報のデータの配列４０２または４０４の方向を表わしている。紙の書類はスキャナーで読取する時に、０から３６０度回転しても、グループ方向情報を持っている配列４０１または４０３の網点ドットに基づいて埋め込む情報のデータの配列４０２または４０４の認識が可能である。また、埋め込む情報のデータの配列４０２または４０４の各網点は集中網点であるか、または分散網点であるか、グループ位置情報も持っている配列４０１または４０３に基づいて、埋め込む情報のデータの配列４０２または４０４に属する各網点のコード値を認識することができる。
【００６１】
図４に示すとおり、標準ドットパターンとして、各網点間の縦距離（Ｈ41）と横距離（Ｗ41）を二つの印刷ドット（マイクロセル）の直径値以上とする、スクリーンの網点の階調特性によって、各網点間の縦距離（Ｈ41）と横距離（Ｗ41）は大きければ大きいほど、地紋の階調値は小さくなるが、埋め込み情報の量は少なくなる。
逆に、各網点間の縦距離（Ｈ41）と横距離（Ｗ41）は小さければ小さいほど、地紋の階調値は大きくなるが、埋め込み情報の量は多くなる。
実際なアプリケーションの要求仕様によって各網点間の縦距離（Ｈ41）と横距離（Ｗ41）を選択すればいい。
【００６２】
図３に示したスクリーンコードのドットパターンの埋め込み情報の密度、埋め込みドットの密度及び埋め込み情報密度の比率について次のように評価する。
図３に示すとおり、網点の高さ（Ｈ32）を六つの印刷ドット（マイクロセル）の直径値、網点の幅（Ｗ32）を三つの印刷ドット（マイクロセル）の直径値とすると、網点の面積（最小セル）は１８個の印刷ドット（マイクロセル）になるので、単位面積の１０８個の印刷ドット（マイクロセル）に対して、図３に示したスクリーンコードのドットパターンの埋め込み情報の密度は６である、即ち単位面積毎に対して６ビットの情報の埋め込みが可能である。
【００６３】
次に、図３に示したスクリーンコードのドットパターンの埋め込みドットの密度について、一つの網点毎のドットの総面積を二つの印刷ドット（マイクロセル）として計算すれば、埋め込みドットの密度は１２である。
上記の結果を用いて、埋め込み情報密度の比率を０．５として算出することができる。
【００６４】
網点のドットの数は少なければ少ないほど、また、網点の大きさは小さければ小さいほど、埋め込んだ結果は印刷画像に対して、影響は少ないスクリーンの特性を考慮して、図５は網点のドット数を２とするスクリーンコードを提案する。図５に示しているように、網点のドット５０１とドット５０２の四つ方向の異なる配置によって情報を埋め込むことができる。
図５に示すとおり、網点（ａ）の二つのドットを水平に配置すれば、情報のマルチビット値“０”を、網点（ｂ）の二つのドットを左斜めに配置すれば、情報のマルチビット値“１”を、網点（ｃ）の二つのドットを垂直に配置すれば、情報のマルチビット値“２”を、網点（ｄ）の二つのドットを右斜めに配置すれば、情報のマルチビット値“３”を表わすことができる。網点の四つ方向の異なる二つのドットの配置によって、情報のマルチビット値のいろいろな定義方法も考える。また、網点の二つのドットの方向は四つだけではなく、六つ方向や八つ方向なども可能である。
【００６５】
図５に示すとおり、二つのドットのある網点を標準ドットパターンとして、網点のドット毎の高さＨ50を二つの印刷ドット（マイクロセル）の直径値とすれば、網点のドット毎の幅Ｗ50を一つの印刷ドット（マイクロセル）の直径値とする、または網点のドット毎の高さＨ50を一つの印刷ドット（マイクロセル）の直径値とすれば、網点のドット毎の幅Ｗ50を二つの印刷ドット（マイクロセル）の直径値としてもいい。また、網点の二つのドット間の最短距離を二つの印刷ドット（マイクロセル）の直径値とする。
このように構成する理由は網点の二つのドットの認識をする必要があるので、サンプリング理論によって二つのドットの大きさを、それぞれ二つ以上の印刷ドット（マイクロセル）の直径値が必要となる。
上記の各値は標準ドットパターンに対して一番最小値として定義したものであるので、実際応用する時に、埋め込みデータの容量や地紋の階調値などを考慮して、決めればいい。
【００６６】
図５に示した二つのドットのある網点のスクリーンコードは、図６のようにドット５０１とドット５０２によって異なる搬送方向の物理学的な配置を構成するスクリーンコードと見なすことができる。図６の中で、網点の形式ａを搬送方向ｄ1、網点の形式ｂを搬送方向ｄ2、網点の形式ｃを搬送方向ｄ3、網点の形式ｄを搬送方向ｄ4とする。
【００６７】
本実施方法では図５のように網点のドット数を２とするスクリーンコードを提案した例に対し、図７に示すように、スクリーンコードのドットの配置にとって、二次元空間での異なる位相変調の物理的なドットパターンによって、情報埋め込みとみなすことを可能とする。
【００６８】
スクリーンの網点をマトリクス配置することによって構成された間隔Ｔの正方標準化格子になった画像データを｛ζm,n｝とし、スクリーンコードの位相変調公式は次のように現れる。
（数１）
∞ ∞
ψm,n＝ΣΣζm-i,n-j＊η｛［ｉ＋ε（ｍ，ｎ）］＊Ｔ，［ｊ＋δ（ｍ，ｎ）］＊Ｔ｝
i=-∞j=-∞
ここで、ε（ｍ，ｎ）及びδ（ｍ，ｎ）を変化することによって、｛ζm,n｝を搬送信号とした位相変調が実現できる。
【００６９】
上式によって、スクリーンコードとした網点のドット座標を（ｍ，ｎ）とし、コンピュータ情報をω（ω∈０，１，・・・，ｋ）とする、図７を示したように、網点のドット５０１に対して、網点ａはｍ＝−２，ｎ＝０；網点ｂはｍ＝−２，ｎ＝２；網点ｃはｍ＝０，ｎ＝２；網点ｄはｍ＝２，ｎ＝２。網点のドット５０２に対して、網点ａ'はｍ＝２，ｎ＝０；網点ｂ'はｍ＝２，ｎ＝−２；網点ｃ'はｍ＝０，ｎ＝−２；網点ｄ'はｍ＝−２，ｎ＝−２である。
【００７０】
以上のように図５のドットパターンに対して、力学的なベクトルの異なるドットパターンなどいろいろな言い方はあっても、上記のようなドットパターンの構成と同様になれば、本発明の範囲以内に属せざるを得ない。
【００７１】
図８は、図５に示したスクリーンコードのマトリクス配置によって、地紋を構成する例である。図８に示すように、配列８０１と配列８０２によって情報グループを構成する例であり、埋め込みデータのコード長配列８０１は埋め込み情報データの配列８０２のコード長情報を記述している。紙の書類の隙間に、情報を埋め込む場合に、隙間の大きさに合わせて、可変長コードのコード長を配列８０１として配置する。また、埋め込み情報データの配列８０２の中で誤り訂正情報を配置することも考える。
同様に他の情報グループの構成について配列８０３と配列８０４または配列８０５と配列８０６の例のように別々の情報グループとして構成することもできる。
【００７２】
図８に示すとおり、標準ドットパターンとして、二つのドットのある網点のスクリーンコードの網点の間隔は、縦間隔Ｈ81＝Ｈ82と横間隔Ｗ81＝Ｗ82を同様に二つの印刷ドット（マイクロセル）の直径値とするが、アプリケーションの仕様に合わせて、印刷スクリーンの特性に基づいてこれ以上の値を設定してもいい。
【００７３】
図５に示したスクリーンコードのドットパターンの埋め込み情報の密度、埋め込みドットの密度及び埋め込み情報密度の比率について次のように評価する。
図５に示すとおり、網点の高さ（Ｈ51）と網点の幅（Ｗ51）を同様に六つの印刷ドット（マイクロセル）の直径値とすると、網点の面積（最小セル）は３６個の印刷ドット（マイクロセル）になり、一つの網点の情報埋め込み容量のマルチビット値を２とするので、単位面積の１０８個の印刷ドット（マイクロセル）に対して、図５に示したスクリーンコードのドットパターンの埋め込み情報の密度は６である、即ち単位面積毎に対して６ビットの情報の埋め込みが可能である。
【００７４】
次に、図５に示したスクリーンコードのドットパターンの埋め込みドットの密度について、一つの網点毎のドットの総面積を四つの印刷ドット（マイクロセル）として計算すれば、埋め込みドットの密度は１２である。
上記の結果を用いて、埋め込み情報密度の比率を０．５として算出することができる。
【００７５】
図９は、本発明により、提案されている網点のドット数を３とする７進制マルチビットスクリーンコードの構成例である。図７のように９０１と９０２のドットを配置基準のドットとし、９０３のドットを情報ドットとし、９０４を情報ドット９０３の配置可能なセルとする。図９の中で、ａ網点のドット配置をマルチビット値“０”とし、ｂ網点のドット配置をマルチビット値“１”とし、ｃ網点のドット配置をマルチビット値“２”とし、ｄ網点のドット配置をマルチビット値“３”とし、ｅ網点のドット配置をマルチビット値“４”とし、ｆ網点のドット配置をマルチビット値“５”とし、ｇ網点のドット配置をマルチビット値“６”とする。
【００７６】
図９に示したスクリーンコードの構成は、情報ドット９０３を、配置基準のドット９０１と９０２の真ん中に配置しているので、紙伸びや位置ずれによって誤認識を発生しにくいという特徴を持っている。また、情報内容によって情報ドット９０３の配置場所が変わるが、配置基準のドット９０１と９０２の配置場所がスクリーンコードのコード値と依存しないので、地紋の画質は高い特徴もある。
【００７７】
図９に示すとおり、標準ドットパターンとして、情報ドット９０３と配置基準のドット９０１と９０２の高さＨ90を同様に二つの印刷ドット（マイクロセル）の直径値とし、幅Ｗ90を一つの印刷ドット（マイクロセル）の直径値とするが、アプリケーションの仕様に合わせて、これ以上のサイズに設定することを可能とする。
【００７８】
図９は、コードａ、ｂ、ｃ，ｄ、ｅ、ｆとｇは異なる幾何学的な形状によって構成されたスクリーンコードと、また、コードａ、ｂ、ｃ，ｄ、ｅ、ｆとｇは情報ドット９０３の異なる幾何学的な位置によって構成されたスクリーンコードと、更に、コードｂとｅ、ｄとｆは異なる幾何学的な方向によって構成されたスクリーンコードとみなすことができる。
【００７９】
また、図１０は、図９に示したスクリーンコードは情報ドット９０３の異なる物理学的な位相変調のドット搬送信号によって構成されたドットパターンである。図１０に示すとおり、網点（ａ）はｍ＝３，ｎ＝−４；網点（ｂ）はｍ＝３，ｎ＝０；網点（ｄ）はｍ＝−３，ｎ＝４；網点（ｅ）はｍ＝−３，ｎ＝０；網点（ｆ）はｍ＝−３，ｎ＝−４；網点（ｇ）はｍ＝０，ｎ＝０である。
同じように、配置基準のドット９０１と９０２は二つの一定位相のドット搬送信号によって構成されたドットパターンであり、また、図９に示したコードａ、ｂ、ｃ，ｄ、ｅ、ｆとｇは二つの一定位相のドット搬送信号と位相変調のドットの搬送信号とを重ねた物理学的なドットパターンとみなすこともできる。
【００８０】
図９に示した幾何学的または物理学的なドットパターンの配置特性をスクリーン特性と併せ持つスクリーンコードに対して、スクリーンコードを構成した網点のスクリーンの特性は、異なるコード値でも、網点の階調は均一であり、また、ドットの数は少なければ少ないほど、または、網点の大きさは小さければ小さいほど、印刷画像に埋め込んだ結果は印刷画像に対して、影響は少なくなるのである。
【００８１】
図１１は、図９の三つのドットのスクリーンコードをスクリーンの特性に基づいてマトリクス配置することによって地紋を構成した網点の配置の例である。図１１に示すように、網点（ａ）から（ｇ）までを情報埋め込みデータとし、網点（ｈ）と（ｉ）を普通網点のドットの大きさと異なるスクリーンコードの網点とする。秘密資料に対して、複写禁止や追跡などの付加情報を埋め込む場合は、不法者が縮小コピーを利用して、上記のような機能を働かないことを防ぐために、普通網点のドットの大きさより大きなドットによって構成したドットパターンを使う必要があるので、一つの情報グループの中で大きさの異なる網点のドットを混在させる対策方法である
【００８２】
図１１に示すとおり、標準ドットパターンとして、網点（ａ）から（ｉ）まで二つの網点間の縦間隔（Ｈ111＝Ｈ112）と横間隔（Ｗ111＝Ｗ112）をそれぞれゼロの印刷ドット（マイクロセル）の直径値とするが、アプリケーションの仕様に合わせて、それ以上の値を設定してもいい。
また，網点間の縦間隔（Ｈ111≠Ｈ112）または横間隔（Ｗ111≠Ｗ112）をしてもいい、印刷スクリーン特性に基づいて情報グループの網点間の縦間隔または横間隔に対して一定数値に設定すればいい。
【００８３】
上記のように、スクリーンコードによって構成した地紋について、同じ階調の網点に対して、その網点間の間隔は広ければ、地紋全体の階調は小さい、そのメリットは地紋と印刷データを重ねた時に、印刷画像の画質に対して、影響は小さくなる。
【００８４】
図９に示したスクリーンコードのドットパターンの埋め込み情報の密度、埋め込みドットの密度及び埋め込み情報密度の比率について次のように評価する。
図９に示すとおり、網点の高さ（Ｈ91）を１２個の印刷ドット（マイクロセル）の直径値とし、網点の幅（Ｗ91）を九つの印刷ドット（マイクロセル）の直径値とすると、網点の面積（最小セル）は１０８個の印刷ドット（マイクロセル）になり、スクリーンコードのコード長を７とするので、単位面積の１０８個の印刷ドット（マイクロセル）に対して、図９に示したスクリーンコードのドットパターンの埋め込み情報の密度は約３である、即ち単位面積毎に対して約３ビットの情報の埋め込みが可能である。
【００８５】
次に、図９に示したスクリーンコードのドットパターンの埋め込みドットの密度について、一つの網点毎のドットの総面積を六つの印刷ドット（マイクロセル）として計算すれば、埋め込みドットの密度は６である。
上記の結果を用いて、埋め込み情報密度の比率を約０．５として算出することができる。
【００８６】
本発明では、図９のようなスクリーンコードの情報量をアップするために、図１２に示されるように、網点のドット数を４とする２０進制のマルチビットのスクリーンコードも提案する。図１２のように１２０１と１２０２のドットを配置基準のドットとし、１２０３と１２０４のドットを情報ドットとする。図１２の中で、ａ網点のドット配置をマルチビット値“０”とし、ｂ網点のドット配置をマルチビット値“１”とし、ｃ網点のドット配置をマルチビット値“２”とし、ｄ網点のドット配置をマルチビット値“３”とし、ｅ網点のドット配置をマルチビット値“４”とし、ｆ網点のドット配置をマルチビット値“５”とし、ｇ網点のドット配置をマルチビット値“６”とし、ｈ網点のドット配置をマルチビット値“７”とし、ｉ網点のドット配置をマルチビット値“８”とし、ｊ網点のドット配置をマルチビット値“９”とし、ｋ網点のドット配置をマルチビット値“Ａ”とし、ｌ網点の配置をマルチビット値“Ｂ”とし、ｍ網点のドット配置をマルチビット値“Ｃ”とし、ｎ網点のドット配置をマルチビット値“Ｄ”とし、ｏ網点のドット配置をマルチビット値“Ｅ”とし、ｐ網点のドット配置をマルチビット値“Ｆ”とし、ｑ網点のドット配置をマルチビット値“Ｇ”とし、ｒ網点のドット配置をマルチビット値“Ｈ”とし、ｓ網点のドット配置をマルチビット値“Ｉ”とし、ｔ網点のドット配置をマルチビット値“Ｊ”とする。
【００８７】
図９に示した三つのドットのスクリーンコードと同様に、図１２のような網点ａ、ｂ、ｃ，ｄ、ｅ、ｆ，ｇ，ｈ，ｉ，ｊ，ｋ，ｌ，ｍ，ｎ，ｏ，ｐ，ｑ，ｒ，ｓとｔは異なる幾何学的な形状によって構成されたスクリーンコードと、または、コードａ、ｂ、ｃ，ｄ、ｅ、ｆ，ｇ，ｈ，ｉ，ｊ，ｋ，ｌ，ｍ，ｎ，ｏ，ｐ，ｑ，ｒ，ｓとｔは情報ドット１２０３と１２０４の異なる幾何学的な位置によって構成されたスクリーンコードと、または、網点ａとｐ、ｇとｒ、網点ｃとｎ、網点ｄとｈ、ｊとｍ、網点ｅとｌ、網点ｆとｑ、ｏとｔ、網点ｋとｓは異なる幾何学的な方向によって構成されたスクリーンコードとみなすことができる。
【００８８】
また、図９に示した三つのドットのスクリーンコードと同様に、図１２のようなスクリーンコードａ、ｂ、ｃ，ｄ、ｅ、ｆ，ｇ，ｈ，ｉ，ｊ，ｋ，ｌ，ｍ，ｎ，ｏ，ｐ，ｑ，ｒ，ｓとｔは情報ドット１２０３と１２０４の異なる物理学的な位相変調のドット搬送信号によって構成されたドットパターンと、配置基準のドット１２０１と１２０２の二つの一定位相のドット搬送信号によって構成されたドットパターンとを重ねた物理学的なスクリーンコードとみなすこともできる。
【００８９】
さらに、図９に示した三つのドットのスクリーンコードと同様に、図１２に示したスクリーンコードは、スクリーンの特性を併せ持つパターン認識可能な幾何学的または物理学的な情報埋め込みコードの構成であり、換言すれば、幾何学的または物理学的なコードの構成の上にスクリーン特性を付加した情報埋め込みコードである。スクリーンコードを構成した網点のスクリーンの特徴は、異なるコード値でも、網点の階調はすべて均一になる。また、スクリーンコードの記録情報量を確保した上に、情報ドット数は少なければ少ないほど、また、網点の大きさは小さければ小さいほど、埋め込みの結果は印刷画像に対して、影響が少ない特性を利用した。
【００９０】
図1３は四つのドットのスクリーンコードのマトリクス配置によって構成した地紋の例である。
図１３に示すように、一つの情報グループはグループ順番情報ビット群１３０１、埋め込み情報群１３０２や誤り訂正情報群１３０３などを含めたスクリーンコードによって構成している。グループの配置方向を表わすために、近傍の四つのスクリーンコード毎に対して一つスクリーンコードの例１３０４を９０度回転して配置する。このやり方のメリットは書類３６０度任意回転しても、読み取ることができる。
【００９１】
図１２に示したスクリーンコードのドットパターンの埋め込み情報の密度、埋め込みドットの密度及び埋め込み情報密度の比率について次のように評価する。
図１２に示すとおり、網点の高さ（Ｈ121）を１２個の印刷ドット（マイクロセル）の直径値とし、網点の幅（Ｗ121）を九つの印刷ドット（マイクロセル）の直径値とすると、網点の面積（最小セル）は１０８個の印刷ドット（マイクロセル）になり、一つの網点の情報埋め込み容量のマルチビット値を４．２５とするので、単位面積の１０８個の印刷ドット（マイクロセル）に対して、図１２に示したスクリーンコードのドットパターンの埋め込み情報の密度は４．２５である、即ち単位面積毎４．２５ビットの情報の埋め込みが可能である。
【００９２】
次に、図１２に示したスクリーンコードのドットパターンの埋め込みドットの密度について、一つの網点毎のドットの総面積を八つの印刷ドット（マイクロセル）として計算すれば、埋め込みドットの密度は８である。
上記の結果を用いて、埋め込み情報密度の比率を０．５３として算出することができる。図１２に示したスクリーンコードのドットパターンの埋め込み情報密度の比率の値は図３、図５及び図９に示したスクリーンコードより高い、この効果は印刷の画質と埋め込み情報の容量とを両方考慮して得られた結果である。
【００９３】
図９または図１２のスクリーンコードの構成方法のもう一つの形式として、本発明では、ドットの数は少なければ少ないほど、また、網点の大きさは小さければ小さいほど、埋め込んだ結果は印刷画像に対して、影響は少ない印刷スクリーンの特性に基づいて、図１４に示しているように、図９または図１２のような配置基準のドットを情報グループ内部で共用し、または、配置基準のドットを兼用することによって、網点のドット数を１とする９進制のマルチビットのスクリーンコードの構成方法を提案する。
図１４のように１４０１を情報ドットとし、１４０２を情報ドット１４０１の配置可能なセルとする。まず、情報ドット１４０１が幾何学的な異なる位置の配置によって情報を記述することとみなす。例は図１４の中で、ａ網点のドット配置をマルチビット値“０”とし、ｂ網点のドット配置をマルチビット値“１”とし、ｃ網点のドット配置をマルチビット値“２”とし、ｄ網点のドット配置をマルチビット値“３”とし、ｅ網点のドット配置をマルチビット値“４”とし、ｆ網点のドット配置をマルチビット値“５”とし、ｇ網点のドット配置をマルチビット値“６”とし、ｈ網点のドット配置をマルチビット値“７”とし、ｉ網点のドット配置をマルチビット値“８”とする。
図１４の例を参考して、情報ドットのいろいろな異なる位置の配置によって、網点のドット数を１とする１６進制以上または３２進制以上のマルチビットのスクリーンコードを構成することもできる。
【００９４】
図９と図１２に示したスクリーンコードと同様に、図１４のようなスクリーンコードａ、ｂ、ｃ、ｄ、ｅ、ｆ、ｇ、ｈ及びｉは情報ドット１４０１の異なる位相変調のドット搬送信号によって構成された物理学的なドットパターンとみなすことである。また、異なる力学的な重心によって構成された物理学的なドットパターンとみなすこともできる。
【００９５】
図１５では、図１４に示した網点のドット数を１とする９進制のマルチビットのスクリーンコードは、スクリーンの特性に基づいて複数なスクリーンコードを情報グループとして、マトリクス配置することによって地紋を構成した網点の配置の例である。１５０１を情報ドットとし、１５０２を情報ドット１５０１の配置可能なセルとする。
スクリーン特性を考慮したスクリーンコードの配置方法に対して、図１５に示しているように、ａ、ｂ、ｃ、ｄ、ｅ、ｆ、ｇ、ｈ、ｉ、ｊ、ｋ、ｌ、ｍ、ｎ、ｏ及びｐ十六個のスクリーンコード網点を一つの情報グループとして構成する。標準ドットパターンとして、情報ドット１５０１のサイズは高さ（Ｈ151）を二つの印刷ドット（マイクロセル）の直径値とし、幅（Ｗ151）を一つの印刷ドット（マイクロセル）の直径値とする。一つのドットのスクリーンコードの網点の大きさは、高さ（Ｈ152）を１２個の印刷ドット（マイクロセル）の直径値とし、幅（Ｗ151）を九つの印刷ドット（マイクロセル）の直径値とする、また、それぞれ二つの網点間の間隔（Ｈ153）と（Ｗ153）を同様にゼロの印刷ドット（マイクロセル）の直径値とする。
実際なアプリケーションの仕様を合わして、スクリーンの特性に基づいて、上記のようなサイズより大きく選択してもいい。
【００９６】
図１５の１５０２は、一つのドットのスクリーンコードの網点の中で、情報ドットを配置することを可能とするセルである。図１５に示すように、ａ、ｂ、ｃ及びｄの網点をすべて真ん中に情報基準のドットとして配置している。ａ、ｂ、ｃ及びｄの網点を情報グループの方向に表わす網点である、ａ、ｂ、ｃ及びｄの網点を用いて、情報グループの方向を認識することができる。同時にａ、ｂ、ｃ及びｄの網点を縦方向の情報ドットの位置基準情報を持つ網点とする。
また、図１５のように、ｅ、ｉ及びｍ網点を横方向の情報ドットの位置基準情報を持つ網点とする。ｅ、ｉ及びｍ網点に対して、ｅ、ｉ及びｍの網点をすべて真ん中を空きとし、情報ドットを両側のどちらかの格子に配置することを可能とする。
縦方向の情報ドットの基準情報を持つ網点ａ、ｂ、ｃ及びｄの位置と横方向の情報ドットの位置基準情報を持つ網点ｅ、ｉ及びｍの位置に基づいて、網点ｆ、ｇ、ｈ、ｊ、ｋ、ｌ、ｎ、ｏ及びｐのマルチコード値を認識することができる。
さらに、横方向の情報ドットの位置基準情報を持つ網点ｅ、ｉ及びｍの配置と区別するために、網点ｆ、ｊ及びｎとｇ、ｋ及びｏとｈ、ｌ及びｐの真ん中に同時に空白としない。
【００９７】
図１４に示した一つのドットのスクリーンコードのドットパターンの埋め込み情報の密度、埋め込みドットの密度及び埋め込み情報密度の比率について次のように評価する。
図１４に示すとおり、網点の高さ（Ｈ142）を１２個の印刷ドット（マイクロセル）の直径値とし、網点の幅（Ｗ142）を九つの印刷ドット（マイクロセル）の直径値とすると、網点の面積（最小セル）は１０８個の印刷ドット（マイクロセル）になり、一つの網点の情報埋め込み容量のマルチビット値を３．２５とするので、単位面積の１０８個の印刷ドット（マイクロセル）に対して、図１４に示したスクリーンコードのドットパターンの埋め込み情報の密度は３．２５である、即ち単位面積毎３．２５ビットの情報の埋め込みが可能である。
【００９８】
次に、図１４に示したスクリーンコードのドットパターンの埋め込みドットの密度について、一つの網点毎のドットの総面積を二つの印刷ドット（マイクロセル）として計算すれば、埋め込みドットの密度は２である。
上記の結果を用いて、埋め込み情報密度の比率を１．６２５として算出することができる。図１４に示したスクリーンコードのドットパターンの埋め込み情報密度の比率の値は図３、図５、図９及び図１２に示したスクリーンコードより高い、この効果は印刷の画質と埋め込み情報の容量とを両方考慮して得られた結果である。ここで、印刷スクリーンの特性を考慮して得られた結果とも言える。
【００９９】
図１６は、スクリーンコードを構成するドットパターンに属する情報ドットの分割の例である。印刷スクリーン特性を考慮して、さらに、地紋の階調値を減らすために、図１６に示すように、一つのドットのスクリーンコードのドットパターンの情報ドット１６００を二つの小さい情報ドット１６０１に分割することが可能とする。情報ドット１６０１の大きさを一つの印刷ドット（マイクロセル）の直径値としても、二つの分散した情報ドット１６０１になっているので、サンプリング理論によって、情報認識を行うことが可能である。セル１６０２は情報ドット１６０１が配置可能な領域とする。また、Ｈ163を情報ドット１６０１の二つのドットの間隔とする。
同じように、上記提案したスクリーンコードのドットパターンはもっと薄い地紋を構成したい時に、図１６を参考して、上記に示したすべてドットパターンに対して、ドットパターンに属するドットの分割を行うことができる。
【０１００】
図１６に示したドットの分割のスクリーンコードのドットパターンに対して、その埋め込み情報の密度、埋め込みドットの密度及び埋め込み情報密度の比率について次のように評価する。
図１６に示すとおり、網点の高さ（Ｈ162）を１５個の印刷ドット（マイクロセル）の直径値とし、網点の幅（Ｗ162）を九つの印刷ドット（マイクロセル）の直径値とすると、網点の面積（最小セル）は１３５個の印刷ドット（マイクロセル）になり、一つの網点の情報埋め込み容量のマルチビット値を２．６とするので、単位面積の１０８個の印刷ドット（マイクロセル）に対して、図１４に示したスクリーンコードのドットパターンの埋め込み情報の密度は２．６である、即ち単位面積毎２．６ビットの情報の埋め込みが可能である。
【０１０１】
次に、図１６に示したスクリーンコードのドットパターンの埋め込みドットの密度について、一つの網点毎のドットの総面積を二つの印刷ドット（マイクロセル）として計算すれば、埋め込みドットの密度は１．６である。
上記の結果を用いて、埋め込み情報密度の比率を１．６２５として算出することができる。
ここで、上記のように、提案した図３、図５、図９、図１２、図１４及び図１６に示したスクリーンコードのドットパターンの埋め込み情報の密度、埋め込みドットの密度及び埋め込み情報密度の比率について表１のように比較する。
【表１】
2009017554.tif 000003
【０１０２】
上記に提案した図３、図５、図９、図１２、図１４及び図１６の六種類のスクリーンコードのドットパターンに対して、印刷スクリーン特性を考慮したので、情報密度の比率の値の評価結果は、０．５に近い、または０．５以上になっている優れた結果を得られた。
言い方を変えると、印刷スクリーンの特性の中で、一つ重要な特性はドットパターンの標準ドットパターンの情報密度の比率を０．５以上とすることである。
【０１０３】
また、上記に提案した図３、図５、図９、図１２、図１４及び図１６の六種類のスクリーンコードのドットパターンに対して、そのドットパターンの構成について、上記以外の幾何的または物理的な解釈方法はあるが、上記に提案した図３、図５、図９、図１２、図１４及び図１６の六種類のスクリーンコードのドットパターンと類似し、さらに、印刷スクリーンの特性を付加すれば、本発明の請求範囲以内に属せざるを得ない。
【０１０４】
以下、図１または図２に示した本発明の自動読取システムに関する主に情報埋め込み装置と情報認識装置の実施方法についてさらに詳細に説明する。
図１７は、情報埋め込み装置と情報認識装置の処理流れである。図１７に示すように、入力部と埋め込み部と出力部を揃えた情報埋め込み装置と、画像入力部と認識部と登録部を備えた情報認識装置と、情報を埋め込んだ印刷画像データを印刷している自動読取印刷物と、からなる自動読取システムを次のように構築することができる。
【０１０５】
情報埋め込み装置の入力部は、Ｓ1とＳ2の処理内容を行う。自動読取対象となる付加情報データを入力し、スクリーン変換ステップへ進み、書類のデータを入力し、イメージ変換ステップへ進む。
【０１０６】
情報埋め込み装置の埋め込み部はＳ3、Ｓ4とＳ5の処理内容を行う。
Ｓ3ステップは前記入力した自動読取対象となる付加情報データを、スクリーンの網点の階調特性、スクリーンの網点のサイズ特性、スクリーンの網点の間隔特性、埋め込み情報密度の比率の特性の内、少なくとも一つの特性を備えたスクリーンの特性を併せ持つパターン認識可能な幾何学的または物理学的な情報埋め込みコードとしたスクリーンコードに変換することを行う。スクリーンコードの変換を完了してから、ステップＳ5へ進む。
【０１０７】
Ｓ4ステップは前ステップ入力した書類のデータをイメージデータに変換する、書類のデータを直接にイメージデータに変換してもいい、プリンタのドライバから書類のイメージデータを取り出してもいい。書類のイメージデータを得てから、ステップＳ5へ進む。
【０１０８】
Ｓ5ステップは情報埋め込みの処理を行う、前ステップで変換したスクリーンコードを情報グループとして、書類のイメージデータの隙間にマトリクス配置することによって新しい書類の印刷画像を構成する方法がある。
情報埋め込みのもう一つの方法は、書類のイメージデータを白黒データとする場合に、書類データの黒い部分とスクリーンコードとを重ねた領域に対して、スクリーンコードの色を白い色に変更すればいい。また、書類のイメージデータをカラーデータとする場合に、書類データの色が付いた部分とスクリーンコードとを重ねた領域に対して、スクリーンコードの色をスクリーンコードの近傍の書類データの色と異なる色に変更すればいい。
【０１０９】
上記の情報グループとはグループに属するドットパターンの方向情報、グループに属するドットパターン列の長さ情報、グループの順番情報、グループの位置情報、グループの形式情報、誤り訂正情報、グループ内部の形式の異なるドットパターン、グループ内部のほかスクリーンコードの網点ドットと比べると、大きさの異なるドットパターンの内、少なくとも、一種類を備えることである。
【０１１０】
情報埋め込み装置の出力部では、書類印刷ステップＳ6の処理を行う。前ステップで構成された新しい書類の印刷画像を出力し、情報埋め込んだ自動読取印刷物を作成する。
ここで、情報埋め込んだ自動読取印刷物は紙の伝票や紙文書などによりなされることである。
【０１１１】
次、情報認識装置は画像入力部、認識部及び登録部によって構成している。その処理の流れはＳ'1、Ｓ'2、Ｓ'3、Ｓ'4の四つのステップがある。
情報認識装置の画像入力部は、Ｓ'1によってイメージセンサーから、自動読取印刷物を読取し、イメージデータとしてステップＳ'2へ送る、
情報認識装置の認識部は、ステップＳ'2とＳ'3によって構成している。
ステップＳ'2は、スクリーンコード網点ドット縦列またはドット横列を検出するために、ドットパターンのドット配置密度はまわりの画素より高い特徴を利用して、確率尺度によった自己組織手法を用いて、スクリーンコードの各ドットの位置を検出することである。
ステップＳ'3は、前ステップによって検出されたスクリーンコードの各ドットパターンに対してマルチビット値を認識することである。
【０１１２】
情報認識装置の登録部は、ステップＳ'4によって構成している。
スクリーンコードを認識した結果を、メモリ、ハードディスク、ＣＤ−ＲＯＭ、ネットワークサーバーの内、少なくとも一種類の記録媒体に登録するか、インタネットを通じて、遠方のところのプリンタで印刷するか若しくはデータベースに登録するか、いろいろな処理を考える。
【０１１３】
図１8は、確率尺度によった自己組織手法の具体的な処理流れである。
図１8に示すように、初期設定ステップＳ"1は、検出するスクリーンコード網点ドット縦列またはドット横列の存在領域という検出領域を初期設定し、検出領域の長さ（Ｌs）に対して、センターラインを基準線（ＳL）として算出する。
ここで、矩形検出領域の設定方法について、検出領域の縦または横の長さ（Ｌs）をスクリーンコード網点ドット縦列またはドット横列の長さとし、検出領域の幅または高さ（Ｐs）を検出するスクリーンコード網点ドット縦列の幅またはドット横列の高さの五倍以上の値とする、即ち検出するスクリーンコード網点ドット縦列またはドット横列を十分に入れた矩形領域である。
【０１１４】
確率尺度の算出ステップＳ"2は、検出領域でのすべてのドットが基準線（ＳL）との配置距離に対して、一定確率（０．７以上）を尺度として、検出領域の新しい幅または高さ（Ｐs'）を求める。
言い換えると、検出領域を７０％以上の網点ドットを含めることができる領域とする。
【０１１５】
新しいドットの選びステップＳ"3は新しい検出領域に属するすべてドットを選ぶ。
【０１１６】
新しい基準線（ＳL）の算出ステップＳ"4はステップＳ"3によって選んだすべてのドットに対して、その回帰線を基準線（ＳL）として算出する。
【０１１７】
自己組織処理完了の判断ステップＳ"5は検出領域の新しい幅または高さ（Ｐs'）、また基準線（ＳL）の値は安定になっているかどうか、変わっていなければ、自己組織の処理を完了（Ｙ）とし、次の終了ステップへ、そのほか自己組織の処理を完了しなければ（Ｎ）、確率尺度の算出ステップＳ"2へ戻る。上記のように自己組織処理を繰り返すことによって、基準線（ＳL）の位置を求めれば、スクリーンコード網点ドット縦列またはドット横列の位置を検出することができる。
【０１１８】
ここで、確率尺度に基づいた自己組織手法を提案したが、上述の方法を参考して、ドットパターンの位置検出について、またいろいろなやり方もある。そこで、上述の手法に類似すれば、本出願の請求範囲以内として考えざるを得ない。
【産業上の利用可能性】
【０１１９】
本発明では、スクリーンコードを導入した自動読取システムを用いて、次のようなビジネスモデルを提案する。
図１９は、ビジネス帳票向けトッタル自動読取システムの構成例である。
ここで、図１７に示した情報埋め込み装置と情報認識装置をネットワークサーバーとして構成することを考えている。また、情報埋め込み装置の付加情報を書類データファイルとすると、書類の自動読取印刷物の画像に、書類データをファイルとして埋め込んでいるので、この自動読取印刷物を、情報認識装置に通じて書類データを読み取ることができるので、図１９に示すように、ビジネス帳票向けトッタル自動読取システムを構成することができる。
【０１２０】
図１９に示すとおり、例はアメリカの複合機１９０２のスキャナーで、スクリーンコードに埋め込まれた紙の書類をサーバー１９０１にイメージデータとして、読み込んで、サーバー１９０１によって紙の書類に埋め込んだ電子ファイルを認識し、読み取って、サーバー１９０１に登録するか、また、インターネットを通じて、中国のサーバー１９０３に送信し、中国のサーバー１９０３に登録するか、または複合機１９０４によって印刷するか。そのメリットは一枚の紙の書類の画像に数十ページぐらいの情報を埋め込むことができるので、電子ファイルとして送信する場合に速度は早いし、アメリカ側が紙の書類を削減することにより社会全体で取り組むべきエコロジー効果もある。
【０１２１】
また、図１９に示すように、もう一例は情報を埋め込んだ紙の書類を中国の複合機１９０４のスキャナーでイメージデータとしてサーバー１９０３に読み込んで、サーバー１９０３はインターネットを通じて、そのイメージデータを日本のサーバー１９０５に送信し、日本のサーバー１９０５によって紙の書類の画像に埋め込んだスクリーンコードを認識し、元の書類の電子ファイルを取り出して、日本のサーバー１９０５に登録するか、または日本側の複合機１９０６から出力するか。このやり方のメリットは情報を埋め込んだ紙の書類をそのままで送信する場合に、情報を記述されたスクリーンコードを多進制のマルチビットとしたドットパターンであるので、書類データが暗号化されると、暗号化の複雑度を多指数的にアップすることが証明できる、また、書類のデータに対して、暗号化した上にさらに秘匿されると、非常に安全な送信方法と言える。
【０１２２】
図２０は、紙の書類の追跡システムの例である。図１７のステップＳ2の付加情報を書類の名前、印刷設備番号や印刷時間など追跡情報とすれば、図２０に示すように、紙の書類の追跡システムを構成することができる。
図２０に示すとおり、追跡情報を埋め込んだ紙の書類をプリンタや印刷機２００１によって印刷し、紙の書類が発生する。紙の書類の回覧の何段階で、スクリーンコードの読取器２００２を用いて、追跡情報をコンピュータ２００４に登録することができ、最後、紙の書類を廃棄する時にも、スクリーンコード自動読取装置を搭載したシュレッダー２００３を用いて、廃棄された紙の書類の追跡情報をコンピュータ２００４に登録することが可能になる。
普通の非接触ＩＣタグ技術と比べると、スクリーンコードとして追跡情報を埋め込んだ紙の書類に対して、低コストで円滑に一連管理することが可能である。
【０１２３】
また、上記の情報埋め込み装置を用いて、紙の書類を作成する場合に、図１７のステップＳ2の付加情報を印刷時間などタイムスタンプ情報とすれば、紙の書類のタイムスタンプ認証システムを構成することができる。
【０１２４】
さらに、上記の情報埋め込み装置を用いて、紙の証明書を作成する場合に、図１７のステップＳ2の付加情報を証明書の証明内容など証明書改ざん防止情報とすれば、証明書の改ざん防止システムを構成することができる。
【０１２５】
または、上記の情報埋め込み装置を用いた、秘密文書を作成する場合に、図１７のステップＳ2の付加情報を秘密文書の秘密内容など情報とすれば、秘密文書の作成システムを構成することができる。
【０１２６】
最後、図２１は上記の情報埋め込み装置を用いた自動読取印刷物例のサンプルである。図２１に示すように、付加情報を埋め込んだ紙の書類の画質は従来の書類と殆ど変わっていない、紙の書類のデータファイルをそのままで、紙の書類に埋め込むことができる。
【図面の簡単な説明】
【０１２７】
【図１】専用ＩＣチップにより、自動読取機能が付いた複合機の構成例を示す図である。
【図２】ソフトにより、自動読取機能が付いた複合機の構成二つの例を示す図である。
【図３】集中網点と分散網点により構成したスクリーンコードの例を示す図である。
【図４】マトリクスの配置によって地紋を構成する一例を示す図である。
【図５】網点のドット数を２とするスクリーンコードの例を示す図である。
【図６】異なる搬送方向の物理学的な配置によって構成するスクリーンコードの例を示す図である。
【図７】異なる位相変調の物理的な配置によって構成するスクリーンコードの例を示す図である。
【図８】マトリクス配置した地紋の構成のもう一例を示す図である。
【図９】網点のドット数を３とするスクリーンコードの構成例を示す図である。
【図１０】異なる物理学的な位相変調によって構成されたドットパターンを示す図である。
【図１１】網点のドット数３のスクリーンコードのマトリクス配置の例を示す図である。
【図１２】網点のドット数を４とするスクリーンコードの構成例を示す図である。
【図１３】網点のドット数４のスクリーンコードのマトリクス配置の例を示す図である。
【図１４】網点のドット数を１とするスクリーンコードの構成例を示す図である。
【図１５】網点のドット数１のスクリーンコードのマトリクス配置の例を示す図である。
【図１６】スクリーンコードのドットの分割を可能とする例を示す図である。
【図１７】情報埋め込み装置と情報認識装置の処理流れを示す図である。
【図１８】確率尺度によった自己組織手法の具体的な処理流れを示す図である。
【図１９】ビジネス帳票向けトッタル自動読取システムの例を示す図である。
【図２０】紙の書類の追跡システムの例を示す図である。
【図２１】自動読取印刷物のサンプルの例を示す図である。
【図１】
2009017554.tif 000004
【図２】
2009017554.tif 000005
【図３】
2009017554.tif 000006
【図４】
2009017554.tif 000007
【図５】
2009017554.tif 000008
【図６】
2009017554.tif 000009
【図７】
2009017554.tif 000010
【図８】
2009017554.tif 000011
【図９】
2009017554.tif 000012
【図１０】
2009017554.tif 000013
【図１１】
2009017554.tif 000014
【図１２】
2009017554.tif 000015
【図１３】
2009017554.tif 000016
【図１４】
2009017554.tif 000017
【図１５】
2009017554.tif 000018
【図１６】
2009017554.tif 000019
【図１７】
2009017554.tif 000020
【図１８】
2009017554.tif 000021
【図１９】
2009017554.tif 000022
【図２０】
2009017554.tif 000023
【図２１】
2009017554.tif 000024